(57)【要約】生体信号データを正確かつ迅速に判別して送受信を行うことのできるシステム及びその方法を提供することを目的とする。心電図データ測定送信装置（１００）は、測定した心電流を心電図データとして記録し、その心電図データを判別するデータＩＤを生成する。心電図データ測定送信装置（１００）は、そのデータＩＤをバーコード化したＩＤコードラベルをプリントアウトし、操作者は、そのＩＤコードラベルを患者の身体に取り付ける。心電図データ受信装置（３００）は、ＩＤコードラベルのバーコードを読み取ってデータＩＤを算出し、そのデータＩＤを指定して心電図データの送信を要求し、受信した心電図データをディスプレイに表示する。
2003015630.tif 000002
【特許請求の範囲】
【請求項１】
データ送信装置と、このデータ送信装置と通信回線で接続されるデータ受信装置と、を備えることによって、生体信号データを判別して送受信を行う生体信号データ判別送受信システムであって、
前記データ送信装置は、
生体信号データを記録する生体信号データ記録手段、
前記生体信号データを判別するためのＩＤを生成するＩＤ生成手段、
前記ＩＤに関する情報を前記生体信号データに付加してＩＤ付生体信号データとするＩＤ付加手段、
前記生体信号が測定された生体に物理的に固定するためのＩＤ媒体であって、前記ＩＤを記録したＩＤ媒体を出力するＩＤ媒体出力手段、
前記ＩＤ付生体信号データを送信するＩＤ付生体信号データ送信手段、
を備えており、
前記データ受信装置は、
前記ＩＤ媒体に記録されたＩＤを読み取るＩＤ読取手段、
前記データ送信装置にアクセスして前記ＩＤによって判別される前記生体信号データの送信を要求する生体信号データ要求手段、
前記要求した生体信号データを受信する生体信号データ受信手段、
を備えたことを特徴とする生体信号データ判別送受信システム。
【請求項２】
請求の範囲第１項の生体信号データ判別送受信システムにおいて、
前記データ受信装置は、さらに、
前記生体信号データ受信手段が生体信号データを受信すると、その生体信号データと、その生体信号データのＩＤで判別される既受信の生体信号データとを結合する生体信号データ結合手段、
を備えたことを特徴とするもの。
【請求項３】
請求の範囲第１項の生体信号データ判別送受信システムにおいて、
前記ＩＤ媒体出力手段は、
前記ＩＤをバーコード化し、生体に取り付け可能な前記ＩＤ媒体として出力することを特徴としており、
前記ＩＤ読取手段は、
前記バーコード化されたＩＤを読み取ることを特徴とするもの。
【請求項４】
生体信号データを送信するデータ送信装置であって、
前記データ送信装置は、
生体信号データを記録する生体信号データ記録手段、
前記生体信号データを判別するためのＩＤを生成するＩＤ生成手段、
前記ＩＤに関する情報を前記生体信号データに付加してＩＤ付生体信号データとするＩＤ付加手段、
前記ＩＤを記録したＩＤ媒体を出力するＩＤ媒体出力手段、
前記ＩＤ付生体信号データを送信するＩＤ付生体信号データ送信手段、
を備えたことを特徴とするデータ送信装置。
【請求項５】
請求の範囲第４項のデータ送信装置において、
前記ＩＤ媒体出力手段は、
前記ＩＤをバーコード化し、生体に取り付け可能な前記ＩＤ媒体として出力することを特徴とするもの。
【請求項６】
生体信号データを送信するデータ送信装置であって、
前記データ送信装置のＣＰＵは、
生体信号データを記録し、
前記生体信号データを判別するためのＩＤを生成し、
前記ＩＤに関する情報を前記生体信号データに付加してＩＤ付生体信号データとし、
前記ＩＤを記録したＩＤ媒体を出力し、
前記ＩＤ付生体信号データを送信すること、
を備えたことを特徴とするデータ送信装置。
【請求項７】
データ送信装置を機能させるためのプログラムであって、
前記プログラムは、前記データ送信装置を以下の、
生体信号データを記録する生体信号データ記録手段、
前記生体信号データを判別するためのＩＤを生成するＩＤ生成手段、
前記ＩＤに関する情報を前記生体信号データに付加してＩＤ付生体信号データとするＩＤ付加手段、
前記ＩＤを記録したＩＤ媒体を出力するＩＤ媒体出力手段、
前記ＩＤ付生体信号データを送信するＩＤ付生体信号データ送信手段、
を備えたデータ送信装置として機能させるためのプログラム。
【請求項８】
データ送信装置を機能させるためのプログラムを記録した記録媒体であって、
前記記録媒体は、前記データ送信装置を以下の、
生体信号データを記録する生体信号データ記録手段、
前記生体信号データを判別するためのＩＤを生成するＩＤ生成手段、
前記ＩＤに関する情報を前記生体信号データに付加してＩＤ付生体信号データとするＩＤ付加手段、
前記ＩＤを記録したＩＤ媒体を出力するＩＤ媒体出力手段、
前記ＩＤ付生体信号データを送信するＩＤ付生体信号データ送信手段、
を備えたデータ送信装置として機能させるためのプログラムを記録した記録媒体。
【請求項９】
生体信号データを判別して受信するデータ受信装置であって、
前記データ受信装置は、
生体信号データを判別するためのＩＤを読み取るＩＤ読取手段、
前記ＩＤによって判別される前記生体信号データの送信を要求する生体信号データ要求手段、
前記要求した生体信号データを受信する生体信号データ受信手段、
を備えたことを特徴とするデータ受信装置。
【請求項１０】
請求の範囲第９項のデータ受信装置において、さらに、
前記生体信号データ受信手段が生体信号データを受信すると、その生体信号データと、その生体信号データのＩＤで判別される既受信の生体信号データとを結合する生体信号データ結合手段、
を備えたことを特徴とするもの。
【請求項１１】
請求の範囲第９項のデータ受信装置において、
前記ＩＤ読取手段は、
前記バーコード化されたＩＤを読み取ることを特徴とするもの。
【請求項１２】
生体信号データを判別して受信するデータ受信装置であって、
前記データ受信装置のＣＰＵは、
生体信号データを判別するためのＩＤを読み取り、
前記ＩＤによって判別される前記生体信号データの送信を要求し、
前記要求した生体信号データを受信すること、
を特徴とするデータ受信装置。
【請求項１３】
データ受信装置を機能させるためのプログラムであって、
前記プログラムは、前記データ受信装置を以下の、
生体信号データを判別するためのＩＤを読み取るＩＤ読取手段、
前記ＩＤによって判別される前記生体信号データの送信を要求する生体信号データ要求手段、
前記要求した生体信号データを受信する生体信号データ受信手段、
を備えたデータ受信装置として機能させるためのプログラム。
【請求項１４】
データ受信装置を機能させるためのプログラムを記録した記録媒体であって、
前記記録媒体は、前記データ受信装置を以下の、
生体信号データを判別するためのＩＤを読み取るＩＤ読取手段、
前記ＩＤによって判別される前記生体信号データの送信を要求する生体信号データ要求手段、
前記要求した生体信号データを受信する生体信号データ受信手段、
を備えたデータ受信装置として機能させるためのプログラムを記録した記録媒体。
【請求項１５】
生体信号データを判別して送受信を行う生体信号データ判別送受信方法であって、
生体信号データを判別するためのＩＤを生体に関連づけておき、
生体信号データの受信側は、
前記生体に関連づけられたＩＤを読み取ることによってその生体の生体信号データを指示し、
前記生体信号データを受信すること、
を特徴とする生体信号データ判別送受信方法。
【請求項１６】
生体信号データを判別する生体信号データ判別方法であって、
生体信号が測定された生体とその生体信号データとを判別するＩＤを決定し、
そのＩＤを記録したＩＤ媒体を出力し、
前記ＩＤ媒体を前記生体に物理的に固定し、
前記生体に固定された前記ＩＤ媒体のＩＤに基づいて前記生体信号データを判別すること、
を特徴とする生体信号データ判別方法。
【発明の詳細な説明】
関連出願の参照
日本国特許出願２００１−２４３６９５（平成１３年８月１０日出願）の明細書、請求の範囲、図面および要約書を含む全開示内容は、これら全開示内容を参照することによって本出願に合体される。
技術分野
この発明は、生体信号データ判別送受信システム及びその方法に関するものである。
背景技術
現在、心電図データ等の生体信号データを救急現場から医療現場へ送信するシステムが開発されている。このシステムでは、例えば救急車内で心電図データを取得した場合、そのデータは、通信回線を用いて搬送先の病院に送信され、病態診断に利用される。
医療現場での患者の処置を適切に行うために、救急現場で記録された生体信号データは、正確に医療現場に送受信、記録される必要がある。また、医療現場では、例えば大規模災害時に多数の患者の搬送が同時に行われることがあるから、それぞれの患者に特定の生体信号データを正確かつ迅速に判別する必要もある。
しかしながら、従来のシステムでは、記録されている生体信号データがどの患者から測定されたものであるかを判別することは、医療現場での救命士等による連絡によってなされていた。したがって、多数の患者が存在する場合には、生体信号データの特定に時間を要する場合や、あるいは特定を誤ってしまう可能性もあった。
発明の開示
この発明は、上記のような問題に鑑みて、生体信号データを正確かつ迅速に判別して送受信を行うことのできるシステム及びその方法を提供することを目的とする。
１）本発明の生体信号データ判別送受信システムは、
データ送信装置と、このデータ送信装置と通信回線で接続されるデータ受信装置と、を備えることによって、生体信号データを判別して送受信を行う生体信号データ判別送受信システムであって、
前記データ送信装置は、
生体信号データを記録する生体信号データ記録手段、
前記生体信号データを判別するためのＩＤを生成するＩＤ生成手段、
前記ＩＤに関する情報を前記生体信号データに付加してＩＤ付生体信号データとするＩＤ付加手段、
前記生体信号が測定された生体に物理的に固定するためのＩＤ媒体であって、前記ＩＤを記録したＩＤ媒体を出力するＩＤ媒体出力手段、
前記ＩＤ付生体信号データを送信するＩＤ付生体信号データ送信手段、
を備えており、
前記データ受信装置は、
前記ＩＤ媒体に記録されたＩＤを読み取るＩＤ読取手段、
前記データ送信装置にアクセスして前記ＩＤによって判別される前記生体信号データの送信を要求する生体信号データ要求手段、
前記要求した生体信号データを受信する生体信号データ受信手段、
を備えたことを特徴としている。
これにより、前記データ受信装置は、対象としている生体の生体信号データを正確に判別して受信することができる。また、前記データ送信装置に複数の異なる生体の生体信号データが記録されている場合や、前記データ送信装置が複数存在していて複数の異なる生体の生体信号データが存在する場合であっても、前記データ受信装置は、前記ＩＤ読取手段によってそれら複数の生体信号データの中から対象とする生体信号データを迅速かつ正確に判別することができる。したがって、例えば大規模災害時のように複数の患者を同時期に治療等する状況下でも、前記データ受信装置のユーザは、生体信号データの同一性の判断を誤ることなく迅速に行うことができ、直ちにそのデータを患者の病態診断に利用することができる。
２）本発明の前記データ受信装置は、さらに、
前記生体信号データ受信手段が生体信号データを受信すると、その生体信号データと、その生体信号データのＩＤで判別される既受信の生体信号データとを結合する生体信号データ結合手段、
を備えたことを特徴としている。
これにより、前記データ受信装置は、前記生体信号を判別するＩＤによって、同一の生体から測定された測定時刻の異なる複数の前記生体信号データを、同一の生体から測定された生体信号データとして記録することができる。したがって、前記データ受信装置は、正確かつ漏れのない生体信号データの記録を行うことができる。さらに、生体信号データの送受信を行う２つの場所において、前記データ送信装置と前記データ受信装置の両方を備えておくことにより、例えば患者を別の病院へ搬送する場合であっても、それぞれのデータ送信装置、データ受信装置間で前記生体信号データ結合手段により生体信号データの結合を正確に行うことができ、最終的に正確かつ漏れのない生体信号データの記録を行うことができる。
３）本発明の前記ＩＤ媒体出力手段は、
前記ＩＤをバーコード化し、生体に取り付け可能な前記ＩＤ媒体として出力することを特徴としており、
前記ＩＤ読取手段は、
前記バーコード化されたＩＤを読み取ることを特徴としている。
前記ＩＤは、バーコード化されているから、ＩＤの読み取りミスもほとんど無く、かつ高速に読み取りを行うことができる。したがって、前記データ受信装置は、生体信号データをより迅速に判別して受信することができる。
本発明の特徴は、上記のように広く示すことができるが、その構成や内容は、それらの特徴および効果とともに図面を考慮に入れた上で、以下の開示によりさらに明らかになるであろう。
発明を実施するための最良の形態
本発明に係る生体信号データ判別送受信システムの実施形態を説明する。本実施形態は、生体信号データの送受信処理を例示するものである。本実施形態によれば、データの受信側に複数の患者が同時に搬入されてくる場合でも、その患者から測定された生体信号データを正確に判別することができ、さらに、既に受信した生体信号データがあれば、その生体信号と新たに記録された生体信号データとを結合して一連の生体信号データとすることができる。
以下、まず始めに本実施形態のシステム概略、各装置のハードウェア構成等、特許請求の範囲に記載した用語と実施形態との対応を説明し、次に、実施形態の説明を行う。
目次
１．システム概略
２．ハードウェア構成
３．特許請求の範囲に記載した用語と実施形態との対応
４．実施形態による生体信号データ送受信処理の説明
５．実施形態による効果
６．その他の実施形態等
−−−−−−−
１．システム概略
本発明の実施形態を図面に基づいて説明する。本発明に係る生体信号データ判別送受信システムとしての心電図データ送受信システムは、図１に示すように、互いに通信可能な、心電図データ測定送信装置１００と心電図データ受信装置３００によって構成される。
心電図データ測定送信装置１００は、患者の心電流を測定し、それを心電図として表すための心電図データに変換して、それらのデータを送信する処理を行うものである。この装置は、主に救急現場で使用される装置であり、本実施形態では、例示として、救急車内で使用可能な装置、または、患者用の担架に設置可能な装置、または、救急救命士が携帯できる装置として使用されている。なお、心電流は、患者の身体の２点間における心電位差を測定することによって間接的に測定されるものである。したがって、本実施形態における「心電流の測定」、「心電流を心電図として表示」等の表現は、心電位の測定、心電位を心電図として表示等する概念を含む。
心電図データ受信装置３００は、心電図データ測定送信装置１００が送信するデータを受信する処理を行うものである。この装置は、主に、医療現場で使用される装置であり、本実施形態では病院の中にある集中治療室（以下、ＩＣＵとする）内で使用されることとしている。
２．ハードウェア構成
２−１．心電図データ測定送信装置１００
図２は、ＣＰＵを用いて実現した心電図データ測定送信装置１００のハードウェア構成の一例である。心電図データ測定送信装置１００は、ＥＣＧ電極１２、増幅アンプ１３、Ａ／Ｄ変換１４、ＣＰＵ１０、Ｆｌａｓｈ−ＲＯＭ１１（フラッシュメモリ等の、記憶したデータを電気的に消去できる書き換え可能な読み出し専用メモリ、以下、Ｆ−ＲＯＭ１１とする）、メモリ１６、ディスプレイコントローラ１８、バーコードプリンタ１９、通信機１７を備えている。ＥＣＧ電極１２は、患者の心電流を測定する電極である。増幅アンプ１３は、ＥＣＧ電極１２によって得られた心電流を増幅するものである。ＣＰＵ１０は、得られた心電流を心電図として表せるような心電図データに変換する処理、心電図データ送信等のほか、心電図データ測定送信装置１００全体を制御する。Ｆ−ＲＯＭ１１は、心電図データ測定送信装置１００を制御するためのプログラムを記録する。メモリ１６は、ＣＰＵ１０のワーク領域等を提供する。ディスプレイコントローラ１８は、ユーザの操作に応じてモニタ１５の表示画面を制御する。バーコードプリンタ１９は、バーコードを表示したラベルを印刷する。通信機１７は、心電図データ受信装置３００に接続するためのものである。
２−２．心電図データ受信装置３００
図３は、心電図データ受信装置３００のハードウェア構成の一例である。心電図データ受信装置３００は、ハードディスク３４、ディスプレイ３６、ＣＰＵ３０、メモリ３８、キーボード３５、通信回路３２、バーコードリーダ３７を備えている。ＣＰＵ３０は、心電図データ受信装置３００全体を制御する。ハードディスク３４は、心電図データ受信装置３００を制御するためのプログラムと受信した心電図データを記録する。通信回路３２は、心電図データ測定送信装置１００と接続するためのものである。メモリ３８は、ＣＰＵ３０のワーク領域等を提供する。バーコードリーダ３７は、バーコードを読み取るためのデバイスである。
心電図データ測定送信装置１００、心電図データ受信装置３００のオペレーティングシステム（ＯＳ）は、例示としてマイクロソフト社のＷｉｎｄｏｗｓ（登録商標）ＣＥ、Ｗｉｎｄｏｗｓ（登録商標）ＮＴ、２０００、ＸＰ等を用いる。なお、心電図データ測定送信装置１００および心電図データ受信装置３００は、ＣＰＵを用いることなくハードウェアロジックによって構成してもよい。
３．特許請求の範囲に記載した用語と実施形態との対応
特許請求の範囲に記載した用語と実施形態との対応は以下の通りである。
「データ送信装置」は、図１の心電図データ測定送信装置１００に対応し、「データ受信装置」は、図１の心電図データ受信装置３００に対応する。
「生体信号データ」は、心電図データに対応し、「生体信号データ記録手段」は、図６ステップＳ６０１で示す心電図データ測定送信装置１００のＣＰＵ１０が行う処理に対応する。「ＩＤ」は、図６ステップＳ６０５で示すＣＰＵ１０が生成するデータＩＤに対応し、「ＩＤ生成手段」は、図６ステップＳ６０５で示すＣＰＵ１０が行う処理に対応する。「ＩＤ付生体信号データ」は、図４に示す、データＩＤが記録された心電図データが対応し、「ＩＤ付加手段」は、図６ステップＳ６０５で示すＣＰＵ１０が行う処理に対応する。「ＩＤ媒体」は、図６ステップＳ６０７で心電図データ測定送信装置１００がプリントアウトするＩＤコードラベルが対応し、「ＩＤ媒体出力手段」は、図６ステップＳ６０７で示すＣＰＵ１０が行う処理に対応する。「ＩＤ付生体信号データ送信手段」は、図６ステップＳ６１１で示すＣＰＵ１０が行う処理に対応する。
「ＩＤ読取手段」は、図６ステップＳ６５０で示す心電図データ受信装置３００のＣＰＵ３０が行う処理に対応する。「生体信号データ要求手段」は、図６ステップＳ６５４で示すＣＰＵ３０が行う処理に対応する。「生体信号データ受信手段」は、図６ステップＳ６５６で示すＣＰＵ３０が行う処理に対応する。
「生体信号データ結合手段」は、図６ステップＳ６５８において、心電図データ受信装置３００のＣＰＵ３０が、受信した心電図データと同一のデータＩＤが記録された既受信の心電図データがある場合に、その既受信の心電図データと受信した心電図データとの両方を、同一の患者の心電図データとしてマージ（データ結合）する処理が対応する。
４．実施形態による心電図データ送受信処理の説明
実施形態では、心電図データ測定送信装置１００と心電図データ受信装置３００との間で心電図データの送受信を行う例を示す。心電図データ測定送信装置１００と心電図データ受信装置３００との間の通信は、無線通信による。
大規模災害時の救急医療においては、対象としている患者の心電図データを、複数の患者の心電図データの中から判別する必要がある。また、その心電図データの判別は、迅速に行われなければならない。実施形態では、心電図データの判別を迅速に行うために、心電図データをデータＩＤで判別するとともに、そのデータＩＤを患者の身体に取り付け可能なコードラベルとしている。これにより、患者の心電図データの判別を正確に行うことができる。
図４に、実施形態による心電図データのフォーマットの一例を示す。心電図データは、心電図を表示するためのデータを、測定時間１秒単位毎にパケット化したものである。また、心電図データのサンプリング周波数は、１２５、２５０、５００、１０００Ｈｚなどどする。心電図データには、“心電図データ”とヘッダ情報とが記録されており、ヘッダ情報には、心電図データを判別する“データＩＤ”と、“測定日時”と、心電図データの“データ長”とが記録されている。図４の例では、この心電図データは、２月１４日の１０時１０分０７秒から０８秒までの測定時間１秒間におけるデータであり、そのデータ長は６キロバイトであること、及び、その心電図データと患者は、データＩＤ０１２５６で判別されることを示している。
実施形態では、そのデータＩＤをバーコード化したうえで、そのバーコードを表示したＩＤコードラベルを患者の手首に巻きつけることとしている。心電図データのフォーマットは、これに限らずその他の実施形態を採用してもよい。例えば、データＩＤについては、バーコードに限らず、コンピュータによる認識可能なその他の識別記号や、機械的または磁気的または光学的に読み取り可能なＩＤ（符号、識別子）を採用してもよい。その他、人間が読み取り可能な識別記号（例えば、簡易に入力可能な記号）などを利用することもできる。例えば、ＩＤとしての所定の番号を患者に記しておき（例えば、ラベルの貼り付け）、データの受信側では、その番号を人間がキーボード手入力等することにより、所望の心電図データを判別して取得するようにしてもよい。
また、心電図データは、測定時間１秒単位毎にパケット化しているが、これに限られるものではなく、その他の単位時間、単位回数等、当業者に周知の手段によって変形可能である。
実施形態におけるデータＩＤは、ラベルを患者の手首に巻き付けること等により最終的に患者と対応づけられることを特徴としている。そして、その対応づけられたデータＩＤを利用することにより、複数の患者が存在する状況にも拘わらず、対象とする患者自身を基準にして、その患者の心電図データを判別することを可能にするものである。したがって、本発明に係るＩＤは、患者の身元等の個人情報のみを特定するための識別情報や、データ通信時にその生体信号データの測定・送信元のみを特定するための識別情報とは異なるものである。
以下、心電図データ送受信処理の概要を図５を参照しながら説明し、続いて、各装置の処理の内容を図６のフローチャートを参照しながら説明する。
図５に示すように、心電図データ測定送信装置１００は、測定した心電流を心電図データとして記録し（記号１）、その心電図データを判別するデータＩＤを生成する（記号２）。心電図データ測定送信装置１００は、そのデータＩＤをバーコード化したＩＤコードラベルをプリントアウトし（記号３）、ユーザがそのＩＤコードラベルを患者の身体に取り付ける。
この後、患者が医療施設に搬入されると、医療施設内の心電図データ受信装置３００は、ＩＤコードラベルのバーコードを読み取り、データＩＤを算出する（記号４）。心電図データ受信装置３００は、そのデータＩＤを指定して、心電図データ測定送信装置１００に対して心電図データの送信を要求する（記号５）。心電図データ測定送信装置１００は、心電図データ受信装置３００に対して、要求されたデータＩＤに対応する心電図データを送信する（記号６）。心電図データ受信装置３００は、受信した心電図データを記録して、心電図をディスプレイに表示する（記号７）。
このように、本システムでは、データＩＤを記録したＩＤコードラベルを介することによって患者の心電図データを迅速に判別することが可能となる。
次に、実施形態による各装置の処理を、図６のフローチャートに基づいて説明する。ここでは、患者を搬送中の救急車内に備えられた心電図データ測定送信装置１００と、搬送先の病院のＩＣＵに備えられた心電図データ受信装置３００との間で心電図データが送受信される例を示す。心電図データ測定送信装置１００のＣＰＵ１０は、図６のフローチャートに従って心電図データの測定処理と送信処理を行い、心電図データ受信装置３００のＣＰＵ３０は、図６のフローチャートに従って心電図データの判別、受信処理を行う。
心電図データ測定送信装置１００のＣＰＵ１０は、患者の身体に取り付けられたＥＣＧ電極１２及び増幅アンプ１３を介して心電流を測定する（ステップＳ６０１）。心電流測定の条件設定等は、ＣＰＵ１０が患者の状況等を判断して自動設定を行う。自動設定としては、例えば、Ａ／Ｄ変換１４から出力されるデータの絶対値（すなわち測定値）が小さい場合に、ＣＰＵ１０が、データ値に所定の演算（例えばｎ倍）を施すことにより所定の絶対値を得るようにしたり、また、ＥＣＧ電極１２の着け方に誤りがあるため出力波形の正負が反転している場合に、ＣＰＵ１０が、出力波形データの反転を行う処理等が該当する。
ＣＰＵ１０は、測定した心電流を心電図として表示するための心電図データをパケット化してメモリ１６に記録する（ステップＳ６０３）。ＣＰＵ１０は、その心電図データを判別するためのデータＩＤを生成し、その心電図データのパケットのヘッダ情報に記録する（ステップＳ６０５）。なお、データＩＤの生成は、ＣＰＵ１０が重複の無いように自動採番することとしているが、あらかじめデータベースにデータＩＤを記録してそれらを利用するようにしてもよい。
ＣＰＵ１０は、データＩＤをバーコード化するとともに、そのバーコードを表示したＩＤコードラベルを、バーコードプリンタ１９によってプリントアウトする（ステップＳ６０７）。心電図データ測定送信装置１００のユーザ（例えば、救急救命士）は、プリントアウトされたＩＤコードラベルを患者の手首に巻きつける。なお、特許請求の範囲に記載した、「生体に物理的に固定」とは、本実施形態で示したようにＩＤコードラベルを手首に巻きつける場合のほか、紛失や脱落が容易に起こらないようなその他の手法、例えば、患者の足首への巻きつけ、衣服やリストバンドへのラベルの貼り付け等も含む概念である。
以上の処理により、心電図データ測定送信装置１００による心電図データの記録とＩＤコードラベルのプリントアウトが行われる。以下の説明では、患者をＩＣＵに搬入した後の、救急救命士が救急車内から携帯した（または、患者の搬入に利用された担架に設置された）心電図データ測定送信装置１００と、ＩＣＵ内に設置された心電図データ受信装置３００との間の心電図データの送受信処理を説明する。なお、実施形態では、心電図データの記録の後にデータＩＤの生成をすることとしているが、これに限らず、心電流の測定に先立ってデータＩＤを生成しておき、測定開示前にＩＤコードラベルを患者の手首に巻きつけておいてもよい。また、データＩＤの生成や、ＩＤコードラベルのプリントアウト後であっても、継続して心電図データを測定、記録するようにしてもよい。
心電図データ受信装置３００は、以下の処理により患者の心電図データを判別して受信する。
心電図データ受信装置３００のＣＰＵ３０は、ユーザの操作に応じて、バーコードリーダ３７を介して患者の手首に巻きつけられているＩＤコードラベルのバーコードを読み取る（ステップＳ６５０）。ＣＰＵ３０は、読み取ったバーコードからデータＩＤを算出する（ステップＳ６５２）。ＣＰＵ３０は、そのデータＩＤに対応する心電図データの送信要求情報を、心電図データ測定送信装置１００に対して送信する（ステップＳ６５４）。このとき、ＣＰＵ３０は、その対応する心電図データを記録している心電図データ測定送信装置１００を自動認識することとしている。これにより、複数の患者の心電図データを記録した複数の心電図データ測定送信装置１００がＩＣＵ内に集中した場合であっても、ＣＰＵ３０は、データＩＤに対応する心電図データを正確に要求することができる。
なお、心電図データ測定送信装置１００を自動認識する技術については、当業者に周知の手段を採用すればよく、例えば、図４の心電図データ中（またはデータＩＤ）に、装置の認識コードやアドレス情報（「装置ＩＤ」）を関連づけて記録しておき、心電図データ受信装置３００のＣＰＵ３０は、その認識コード等に基づいて所望の心電図データを記録する心電図データ測定送信装置１００を特定（「装置認識手段」）するようにすればよい。
心電図データ測定送信装置１００のＣＰＵ１０は、心電図データの送信要求情報を受信するか否かを判断しており（ステップＳ６０９）、受信したと判断すれば、測定部２のメモリ１６に記録された心電図データを心電図データ受信装置３００に対して送信する（ステップＳ６１１）。
ＣＰＵ３０は、心電図データを受信するか否かを判断しており（ステップＳ６５６）、受信したと判断すれば、心電図データをハードディスク３４またはメモリ３８に記録する（ステップＳ６５８）。ＣＰＵ３０は、全ての心電図データを記録したか否かを判断し（ステップＳ６６０）、記録していなければ再びステップＳ６５６からの処理を繰り返す。ＣＰＵ３０は、全ての心電図データを記録したと判断すれば、完了情報を心電図データ測定送信装置１００に対して送信する（ステップＳ６６２）。ここで、全ての心電図データを受信したか否かの判断は、送信側から、送信対象のデータの中で最終のものを送信する際に、最終のデータであることの情報を付加するようにすればよい。心電図データ測定送信装置１００のＣＰＵ１０は、完了情報を受信するか否かを判断し（ステップＳ６１３）、受信したと判断すれば処理を終了する。ＣＰＵ３０は、記録した心電図データに基づき、ディスプレイ３６に心電図を表示して（ステップＳ６６４）、処理を終了する。
以上の処理により、心電図データ測定送信装置１００によって測定、記録された心電図データは、ＩＤコードラベルを介して、心電図データ受信装置３００によって正確かつ迅速に判別、記録されることになる。
ここで、心電図データ受信装置３００のディスプレイ３６に表示される画面例を図７に示す。図７Ａは、心電図データ受信装置３００のＣＰＵ３０がバーコードを読み取ってデータＩＤの算出処理を行っている状態（図６ステップＳ６５０、６５２参照）の画面例である。図７Ｂは、ＣＰＵ３０が、要求した心電図データを受信して記録処理を行っている状態（図６ステップＳ６５６、Ｓ６５８）の画面例である。図７Ｃは、ＣＰＵ３０が、記録した心電図データの表示処理を行っている状態（図６ステップＳ６６４）の画面例である。
各画面には、データの記録に応じて、“心電図データ”、心電図データを判別する“データＩＤ”、心電図データの測定開始時刻を示す“開始時刻”が表示される。また、心電図において、縦軸は心電位（ｍＶ）、横軸は時間（秒）を表している。
５．実施形態による効果
実施形態では、心電図データ受信装置３００のＣＰＵ３０は、データＩＤに対応する心電図データを要求することとしている（図６ステップＳ６５４参照）。これにより、心電図データ受信装置３００は、治療等の対象としている患者の心電図データを正確に判別して受信することができる。また、同一の病院に患者を搬入する複数の救急車がある状況や、心電図データ測定送信装置１００が救急車内で複数の異なる患者の心電図データを記録している場合であっても、心電図データ受信装置３００のＣＰＵ３０は、データＩＤを利用することによってそれら複数の心電図データの中から対象とする心電図データを迅速かつ正確に判別することができる。したがって、例えば大規模災害時のように複数の患者を同時期に治療等する状況下でも、心電図データ受信装置３００のユーザ（例えば、医師等）は、心電図データの同一性の判断を誤ることなく迅速に行うことができ、直ちにそのデータを患者の生体状態の把握、病態診断に利用することができる。
また、図６ステップＳ６５８において、心電図データ受信装置３００のＣＰＵ３０は、受信した心電図データと同一のデータＩＤが記録された心電図データを、既にハードディスク３４またはメモリ３８に記録している場合には、その既受信の心電図データと受信した心電図データとの両方を、同一の患者の心電図データとしてマージする処理を行うようにしてもよい。これにより、心電図データ受信装置３００は、心電図データを判別するデータＩＤによって、同一の患者から測定された測定時間の異なる複数の心電図データを、同一の患者から測定された心電図データとして履歴を完成させることができる。したがって、心電図データ受信装置３００は、正確かつ漏れのない生体信号データの記録を行うことができる。
そのような心電図データの結合処理は、複数の救急車及び複数の病院のＩＣＵにおいて、心電図データ測定送信装置１００と心電図データ受信装置３００の両方を備えておくことによってより有効に行うことができる。例えば、複数の救急車間で患者の搬送のし直しをしたりする場合に心電図データの結合処理が迅速に行える。その他、例えば、救急車内で患者の心電図データの測定を行った後に患者をＩＣＵに搬入し、ＩＣＵ内で心電図データを継続して記録していたが、最初に利用した救急車によって別の病院への搬送が必要と判断された場合には、最初に救急車内で測定された心電図データと、ＩＣＵ内で継続して測定された心電図データとをデータ結合し、時系列順に整理された心電図データとして病態診断に利用することができる。
実施形態では、心電図データを判別するデータＩＤは、患者の手首に巻きつけ可能なＩＤコードラベルに記録されている（図６ステップＳ６０７参照）。これにより、データＩＤが誤って失われるおそれは少ない。したがって、心電図データ受信装置３００のＣＰＵ３０は、対象としている心電図データをより確実に判別して記録することができる。また、データＩＤはバーコード化されているから（図４参照）、ＩＤの読み取りミスもほとんど無く、かつ高速に読み取りを行うことができる。したがって、心電図データ受信装置３００は、心電図データをより迅速に判別して受信することができる。
６．その他の実施形態等
６−１．生体信号データ変形例
実施形態では、本発明に係る「生体信号データ」として心電図データを例示したが、これに限られるものではない。その他の実施形態として、血圧データ、血中酸素飽和度データ等、生体信号として測定されるあらゆる生体データを送受信の対象とすることができる。その他、患者の状態を撮影した画像データ、患者の状態を音声によって記録した音声データを送受信するようにしてもよい。
６−２．ＩＤ媒体変形例
実施形態では、本発明に係る「ＩＤを記録したＩＤ媒体」として患者の手首に巻きつけるＩＤコードラベルを例示したが、これに限られるものではない。その他の実施形態として、データＩＤを記録したＩＣ（集積回路）カードや磁気カードを利用したり、患者の爪等にＩＣチップを貼り付けるようにしてもよい。また、ＩＤを示すバーコード等を患者の身体に直接的に印字、スタンプしてもよい。この場合、患者の身体に印字された蛍光バーコード等が、「ＩＤ媒体」に対応する。
６−３．システム構成変形例
実施形態では、心電図データ測定送信装置１００は救急車に備えられ、心電図データ受信装置３００は病院のＩＣＵに備えられることとしているが、これに限られるものではない。その他の実施形態として、心電図データ測定送信装置１００を、救急車に限らず、あらゆる救急医療現場に携帯できるようにしたり、あるいは、家庭に設置して在宅医療用に利用することもできる。また、心電図データ受信装置３００を、病院に限らず、一定の地域の全ての心電図データを管理するための設備（指令センター等）に設置するようにしてもよい。例えば、病歴等の個人情報のデータベースを指令センターに記録しておくことによって、患者の照会によってそれらの個人情報データを送受信するとともに、その個人情報データを、同一のデータＩＤの下で生体信号データと対応づけて記録することもできる。その他、救急利用に限らず、ＩＤコードラベルを入院患者に貼り付ける等することで、例えば手術や治療を予定している患者が手術室や検査室内に運ばれたときに、生体信号データを確認することによって患者の取り違えを防ぐことも可能である。
６−４．サーバを利用したシステム例
図８は、本発明の「生体信号データ判別送受信システム」のその他の実施形態としてのシステム構成等を示す。このシステムは、「データ送信装置」としての心電図データ測定送信装置１００と、「データ受信装置」としてのサーバ３５０および端末３６０によって構成されている。心電図データ測定送信装置１００は、上述した実施形態と同様に救急車内等に設置されており、一方、サーバ３５０は、指令センター内に設置され、端末３６０はその指令センターと通信可能に接続される医療機関内に設置されている。サーバ３５０および端末３６０のハードウェア構成は、図３に示す心電図データ受信装置３００と同様である。
このシステムは、上述の実施形態と同様のデータを利用してその送受信を行うものであるが、主に、心電図データ測定送信装置１００が、心電図データをあらかじめサーバ３５０に送信しておく点で、上述の実施形態と相違する。以下、本システムによる心電図データ送受信処理の概要を図８を参照しながら説明する。
心電図データ測定送信装置１００は、心電図データを記録し（記号１）、その心電図データを判別するデータＩＤを生成する（記号２）。心電図データ測定送信装置１００は、そのデータＩＤをバーコード化したＩＤコードラベルをプリントアウトし（記号３）、ユーザがそのＩＤコードラベルを患者の身体に取り付けておく。心電図データ測定送信装置１００は、記録した心電図データをサーバ３５０に送信する（記号４）。
サーバ３５０は、受信した心電図データをハードディスク等に記録する（記号５）。この後、患者が医療施設に搬入されると、医療施設内の端末３６０は、ＩＤコードラベルのバーコードを読み取り、データＩＤを算出する（記号６）。端末３６０は、そのデータＩＤに基づいて、サーバ３５０に記録されたその患者の心電図データを心電図としてディスプレイに表示する（記号７）。
なお、このシステム構成については、サーバ３５０と端末３６０とを一つの医療機関内に設置するように変形してもよい。この場合、端末３６０は、例えばその医療機関において患者の処置を行う各部屋（処置室、手術室、治療室等）に設置すればよい。
以上のように、心電図データをあらかじめサーバ３５０に記録させておくとともに、心電図データをデータＩＤによって判別することで、心電図データの受信側では、迅速かつ正確に所望の心電図データを取得することができる。
６−５．通信方法、プログラム実行方法等
実施形態では、心電図データ測定送信装置１００と心電図データ受信装置３００との間の通信方法として、無線通信を例示したが、これらに限られるものではない。その他の実施形態として、ＴＣＰ／ＩＰを送信プロトコルとしてインターネットを利用したり、有線、電話回線、赤外線通信、携帯電話、Ｂｌｕｅｔｏｏｔｈ、ＰＨＳ、メモリカード等を利用してもよい。
実施形態では、心電図データ測定送信装置１００は、一つの装置によって構成される例を示したが、これに限られず、測定部と送信部とが別々となった構成を採用してもよい。この場合、測定部と送信部とを接続するものとして、通信ケーブルや、携帯電話、Ｂｌｕｅｔｏｏｔｈ等の通信技術を利用することができる。その他、心電図データ測定送信装置１００、心電図データ受信装置３００のハードウェア構成、ＣＰＵの構成等も、当業者に周知の手段によって変形可能である。
実施形態では、ＣＰＵ１０、３０の動作のためのプログラムを、Ｆ−ＲＯＭ１１、ハードディスク３４のそれぞれに記憶させているが、ハードディスク３４のプログラムは、プログラムが記憶されたＣＤ−ＲＯＭから読み出してハードディスク等にインストールすればよい。また、ＣＤ−ＲＯＭ以外に、フロッピー（登録商標）ディスク（ＦＤ）、ＩＣカード等のプログラムをコンピュータ可読の記録媒体からインストールさせるようにしてもよい。さらに、通信回線を用いてプログラムをダウンロードさせることもできる。また、ＣＤ−ＲＯＭからプログラムをインストールすることにより、ＣＤ−ＲＯＭに記憶させたプログラムを間接的にコンピュータに実行させるようにするのではなく、ＣＤ−ＲＯＭに記憶させたプログラムを直接的に実行するようにしてもよい。
なお、コンピュータによって、実行可能なプログラムとしては、そのままインストールするだけで直接実行可能なものはもちろん、一旦他の形態等に変換が必要なもの（例えば、データ圧縮されているものを解凍する等）、さらには、他のモジュール部分と組合して実行可能なものも含む。
以上、本発明の概要および本発明の好適な実施形態を説明したが、各用語は、限定のために用いたのではなく説明のために用いたのであって、本発明に関連する技術分野の当業者は、本発明の説明の範囲内でのシステム、装置、及び方法のその他の変形を認め実行することができる。したがって、そのような変形は、本発明の範囲内に入るものとみなされる。
【図面の簡単な説明】
図１は、心電図データ送受信システムの構成を示す図である。
図２は、心電図データ測定送信装置１００のハードウェア構成の一例を示す図である。
図３は、心電図データ受信装置３００のハードウェア構成の一例を示す図である。
図４は、心電図データのフォーマットとバーコードとの関係を示す図である。
図５は、実施形態による心電図データ送受信の概要を示す図である。
図６は、実施形態による心電図データ送受信処理のフローチャートである。
図７Ａ、図７Ｂ、図７Ｃは、実施形態による心電図データ受信装置３００のディスプレイを示す図である。
図８は、本発明のその他の実施形態のシステム構成等を示す図である。
【図１】
2003015630.tif 000003
【図２】
2003015630.tif 000004
【図３】
2003015630.tif 000005
【図４】
2003015630.tif 000006
【図５】
2003015630.tif 000007
【図６】
2003015630.tif 000008
【図７】
2003015630.tif 000009
【図８】
2003015630.tif 000010
【国際調査報告】
2003015630.tif 000011
2003015630.tif 000012